(57)【要約】      （修正有）【課題】工事の記録のために従来用いられていた黒板やスケールに替えて用いられる携帯端末を制御するための工事記録用プログラムおよびこの携帯端末を用いて行われる電線工事記録方法を提供する。【解決手段】工事現場の状況を記録するために用いられるものであって、工事の対象物を撮影する撮影部と、撮影部により撮影された画像を表示する表示部と、操作入力を受け付ける入力部と、を有する携帯端末に、工事についての情報の入力を受け付ける工事情報入力受付ステップと、入力部への操作入力に応じて、撮影部により対象物を撮影して画像を取得し表示部に表示する撮影ステップと、画像内にＡＲマーカが存在するか否かを検出するマーカ検出ステップと、ＡＲマーカが存在する場合にその位置および姿勢を算出する算出ステップと、ＡＲマーカの位置および姿勢に応じて画像にスケールを重ねて表示部に表示するスケール表示ステップと、を実行させる。【選択図】図１
2020021403.tif 000002
【特許請求の範囲】
【請求項１】
工事現場の状況を記録するために用いられるものであって、
工事の対象物を撮影する撮影部と、該撮影部により撮影された画像を表示する表示部と、操作入力を受け付ける入力部と、を有する携帯端末に、
工事についての情報の入力を受け付ける工事情報入力受付ステップと、
前記入力部への操作入力に応じて、前記撮影部により対象物を撮影して画像を取得し前記表示部に表示する撮影ステップと、
前記画像内にＡＲマーカが存在するか否かを検出するマーカ検出ステップと、
前記ＡＲマーカが存在する場合にその位置および姿勢を算出する算出ステップと、
前記ＡＲマーカの位置および姿勢に応じて前記画像にスケールを重ねて前記表示部に表示するスケール表示ステップと、
を実行させることを特徴とする工事記録用プログラム。
【請求項２】
前記携帯端末に、
表示するスケールの種別を選択するスケール選択ステップ
を実行させることを特徴とする請求項１記載の工事記録用プログラム。
【請求項３】
前記スケールが１方向へ延びるものであり、
前記携帯端末に、
前記入力部への操作入力に応じて、前記表示部に表示された前記スケールを、その延びる方向を反転して表示させるスケール反転ステップ
を実行させることを特徴とする請求項１または２記載の工事記録用プログラム。
【請求項４】
前記携帯端末に、
前記入力部への操作入力に応じて、前記表示部に表示された前記スケールを任意の位置に移動して表示させるスケール移動ステップと、
前記操作入力終了後に、移動した前記スケールの前記ＡＲマーカに対する相対位置を固定するスケール固定ステップと、
を実行させることを特徴とする請求項１、２または３記載の工事記録用プログラム。
【請求項５】
送電鉄塔上で行われる電線工事の記録方法であって、
携帯端末と、ＡＲマーカと、を用いるものであり、
前記携帯端末は、工事の対象物を撮影する撮影部と、該撮影部により撮影された画像を表示する表示部と、を有するものであって、前記撮影部により対象物とともに前記ＡＲマーカを写し込むと、前記ＡＲマーカの位置および姿勢に応じて前記画像にスケールを重ねて前記表示部に表示されるものであり、
前記携帯端末の前記撮影部により、工事の対象物を、前記ＡＲマーカを写し込ませて撮影する撮影工程
を備えることを特徴とする電線工事記録方法。
【請求項６】
被覆部材に電線を挿入して外周側から圧縮する工事の記録方法であって、
携帯端末と、ＡＲマーカと、を用いるものであり、
前記携帯端末は、工事の対象物を撮影する撮影部と、該撮影部により撮影された画像を表示する表示部と、を有するものであって、前記撮影部により対象物とともに前記ＡＲマーカを写し込むと、前記ＡＲマーカの位置および姿勢に応じて前記画像にスケールを重ねて前記表示部に表示されるものであり、
前記携帯端末に前記被覆部材の長さの圧縮前の値および前記被覆部材の端部と前記電線の所定の基準位置との間の長さである基準値の圧縮前の値を入力する圧縮前値入力工程と、
前記携帯端末の前記撮影部により、前記被覆部材を、前記ＡＲマーカを写し込ませて撮影する撮影工程と、
前記被覆部材の長さの圧縮後の値および前記基準値の圧縮後の値を測定する実測工程と、
前記携帯端末に前記被覆部材の長さの圧縮後の値および前記基準値の圧縮後の値を入力する圧縮後値入力工程と、
を備えることを特徴とする電線工事記録方法。
【発明の詳細な説明】
【技術分野】
【０００１】
本発明は、工事現場の状況を記録するために用いられる携帯端末を制御するための工事記録用プログラムおよびこの携帯端末を用いて行われる電線工事記録方法に関する。
【背景技術】
【０００２】
従来、工事現場において、工事が適正に行われたことを確認するための記録写真撮影が行われている。この際、写真には、工事の対象物に併せて、工事の件名、日付、施工者などの情報を記載した黒板や、対象物の大きさを表すためのスケール（物差し、メジャー）を写し込むことが一般的である。このような記録写真撮影に用いるためのものとして、たとえば特許文献１に示すような黒板が提案されている。これは、黒板にスケールを装着してあり、さらに黒板に固定支持棒を設けたものであって、固定支持棒により黒板を対象物に固定することで、対象物に併せて黒板とスケールを写し込むことができるものである。
【先行技術文献】
【特許文献】
【０００３】
【特許文献１】登録実用新案第３１１３３２７号公報
【発明の概要】
【発明が解決しようとする課題】
【０００４】
しかしながら、このように黒板やスケールを設置して撮影を行うことは、手間と時間がかかるものであった。また、工事完了後には、写真に写った黒板の記載内容を読み取って報告書に転記しなければならず、この作業にも手間と時間がかかり、その過程で誤記をするおそれもあった。そして、黒板に記載した事項を転記するので、二度手間になっていた。さらに、このような黒板やスケールは、撮影された写真において文字や数字が判読できなければならないので、ある程度以上大きなものでなければならなかった。よって、これらを運搬したり撮影時に保持したりすることは、労力を要するものであった。
【０００５】
本発明は、このような事情を鑑みたものであり、工事の記録のために従来用いられていた黒板やスケールに替えて用いられる携帯端末を制御するための工事記録用プログラムおよびこの携帯端末を用いて行われる電線工事記録方法を提供することを目的とする。
【課題を解決するための手段】
【０００６】
本発明のうち請求項１の発明（工事記録用プログラム）は、工事現場の状況を記録するために用いられるものであって、工事の対象物を撮影する撮影部と、該撮影部により撮影された画像を表示する表示部と、操作入力を受け付ける入力部と、を有する携帯端末に、工事についての情報の入力を受け付ける工事情報入力受付ステップと、前記入力部への操作入力に応じて、前記撮影部により対象物を撮影して画像を取得し前記表示部に表示する撮影ステップと、前記画像内にＡＲマーカが存在するか否かを検出するマーカ検出ステップと、前記ＡＲマーカが存在する場合にその位置および姿勢を算出する算出ステップと、前記ＡＲマーカの位置および姿勢に応じて前記画像にスケールを重ねて前記表示部に表示するスケール表示ステップと、を実行させることを特徴とする。ここで、工事についての情報とは、工事の件名、日付、施工者、場所、対象物など（一例であり、必ずしもこれらを含んでいなくてもよい）、当該工事を他の工事と区別するための情報である。また、スケールとは、表示部に表示される帯状のものであって、長手方向にわたって等間隔に並んだ目盛と、ある目盛を原点としてそこから所定目盛数ごとに増加する数字とを付されたものである。
【０００７】
本発明のうち請求項２の発明は、前記携帯端末に、表示するスケールの種別を選択するスケール選択ステップを実行させることを特徴とする。ここで、スケールの種別とは、目盛・数字の付し方やスケールの形状によって区別されるものである。目盛・数字の付し方には、たとえば、スケールの端部に原点がありそこから１方向に数字が増加していくものや、スケールの中央に原点がありそこから両方向に数字が増加していくものなどがある。また、スケールの形状には、直線状のもの、湾曲したもの、屈曲したものなどがある。そして、スケールの種別を選択するとは、携帯端末が、想定される全ての種別のスケールの中から、種々の情報に基づき１つのスケールを選択する場合、携帯端末が、想定される全ての種別のスケールの中から、種々の情報に基づき複数のスケールを選択肢として、作業者による選択入力を受け付ける場合、携帯端末が、想定される全ての種別のスケールを選択肢として、作業者による選択入力を受け付ける場合の、全ての場合を含む。さらに、ここでいう選択入力とは、表示部に並んで表示されたスケールの中から１つを選択する場合、表示部に表示されたスケールを切り替える場合の、両方の場合を含む。
【０００８】
本発明のうち請求項３の発明は、前記スケールが１方向へ延びるものであり、前記携帯端末に、前記入力部への操作入力に応じて、前記表示部に表示された前記スケールを、その延びる方向を反転して表示させるスケール反転ステップを実行させることを特徴とする。ここで、スケールの延びる方向とは、スケールの長手方向であって付された数字が増加する方向である。
【０００９】
本発明のうち請求項４の発明は、前記携帯端末に、前記入力部への操作入力に応じて、前記表示部に表示された前記スケールを任意の位置に移動して表示させるスケール移動ステップと、前記操作入力終了後に、移動した前記スケールの前記ＡＲマーカに対する相対位置を固定するスケール固定ステップと、を実行させることを特徴とする。
【００１０】
本発明のうち請求項５の発明（電線工事記録方法）は、送電鉄塔上で行われる電線工事の記録方法であって、携帯端末と、ＡＲマーカと、を用いるものであり、前記携帯端末は、工事の対象物を撮影する撮影部と、該撮影部により撮影された画像を表示する表示部と、を有するものであって、前記撮影部により対象物とともに前記ＡＲマーカを写し込むと、前記ＡＲマーカの位置および姿勢に応じて前記画像にスケールを重ねて前記表示部に表示されるものであり、前記携帯端末の前記撮影部により、工事の対象物を、前記ＡＲマーカを写し込ませて撮影する撮影工程を備えることを特徴とする。なお、撮影工程は、工事終了前後のどちらかまたは両方で行われるものである。
【００１１】
本発明のうち請求項６の発明（電線工事記録方法）は、被覆部材に電線を挿入して外周側から圧縮する工事の記録方法であって、携帯端末と、ＡＲマーカと、を用いるものであり、前記携帯端末は、工事の対象物を撮影する撮影部と、該撮影部により撮影された画像を表示する表示部と、を有するものであって、前記撮影部により対象物とともに前記ＡＲマーカを写し込むと、前記ＡＲマーカの位置および姿勢に応じて前記画像にスケールを重ねて前記表示部に表示されるものであり、前記携帯端末に前記被覆部材の長さの圧縮前の値および前記被覆部材の端部と前記電線の所定の基準位置との間の長さである基準値の圧縮前の値を入力する圧縮前値入力工程と、前記携帯端末の前記撮影部により、前記被覆部材を、前記ＡＲマーカを写し込ませて撮影する撮影工程と、前記被覆部材の長さの圧縮後の値および前記基準値の圧縮後の値を測定する実測工程と、前記携帯端末に前記被覆部材の長さの圧縮後の値および前記基準値の圧縮後の値を入力する圧縮後値入力工程と、を備えることを特徴とする。なお、撮影工程は、被覆部材の圧縮前後のどちらかまたは両方で行われるものである。
【発明の効果】
【００１２】
本発明のうち請求項１の発明によれば、従来黒板に記載していた工事についての情報は、携帯端末に入力されるので、黒板は不要である。また、スケールは、ＡＲマーカに応じて携帯端末の表示部に表示されるので、実物のスケールも不要である。よって、黒板やスケールの設置をする必要がなく、手間や時間がかからず容易に撮影を行うことができる。また、工事についての情報は携帯端末に入力されるので、後から情報を転記する必要がなく、手間や時間がかからず、誤記のおそれもない。そして、工事記録のために必要なものは、携帯端末とＡＲマーカのみとなるので、運搬したり撮影時に保持したりすることも容易である。
【００１３】
本発明のうち請求項２の発明によれば、工事の内容（対象物の形状など）に応じて表示するスケールの種別が選択される（携帯端末が選択する場合と作業者が選択する場合の両方がある）ので、記録写真（画像）がより分かりやすいものとなる。スケールが実物であれば、何種類ものスケールを用意しなければならず、その取り扱いに手間がかかるが、本発明のスケールは仮想的に表示されるものであるから、そのような手間もかからない。
【００１４】
本発明のうち請求項３の発明によれば、撮影された対象物に応じて、容易にスケールの延びる方向を切り替えることができる。よって、対象物の撮影方向が制限される場合であっても、撮影された対象物の向きに応じてスケールの延びる方向を切り替えれば、記録写真（画像）がより分かりやすいものとなる。
【００１５】
本発明のうち請求項４の発明によれば、基本的にスケールはＡＲマーカの位置に表示されるものであるが、現場の状況によっては、スケールを表示させたい最適な場所にＡＲマーカを保持できない場合もある。そのような場合でも、表示部上において容易にスケールの位置を調整できる。そして、スケールを移動させた後は、ＡＲマーカに対する相対位置が固定されるので、さらに携帯端末の向きや位置を変えて撮影のアングルなどを調整できる。
【００１６】
本発明のうち請求項５の発明によれば、送電鉄塔上で行われる電線工事において、従来用いられていた黒板やスケールを要することなく、携帯端末とＡＲマーカによって容易かつ安全に記録作業を行うことができる。すなわち、携帯端末とＡＲマーカは、従来の黒板とスケールに比べて小さいもので済むので、足場の悪い送電鉄塔上においても、持ち運びが容易で安全である。そして、ＡＲマーカを対象物の位置に合わせて保持して、携帯端末によりそのＡＲマーカを写し込んで対象物を撮影すればよいので、従来のように大きな黒板やスケールを保持する必要がなく、撮影作業も容易で安全である。
【００１７】
本発明のうち請求項６の発明によれば、被覆部材に電線を挿入して外周側から圧縮する工事において、従来用いられていた黒板やスケールを要することなく、携帯端末とＡＲマーカによって容易かつ安全に記録作業を行うことができる。そして、被覆部材は、圧縮することで長くなるものであり、基準値は被覆部材が長くなることにより逆に短くなるものであるから、圧縮前後の被覆部材の長さおよび圧縮前後の基準値を記録することで、圧縮が確実に行われたことが確認できる。このように、スケールが表示された被覆部材の画像と、圧縮前後の各数値を併せて記録しておくことで、記録の信頼性が高いものとなる。
【図面の簡単な説明】
【００１８】
【図１】本発明の工事記録用プログラムのフローチャートである。
【図２】（ａ）〜（ｄ）は、電線接続工事（電線を送電鉄塔に接続する場合）の説明図である。
【図３】携帯端末のハードウェア構成図である。
【図４】携帯端末の表示部に表示される工事件名選択画面である。
【図５】携帯端末の表示部に表示される工事内容選択画面である。
【図６】携帯端末の表示部に表示される撮影画面である。
【図７】携帯端末の表示部に表示される圧縮後値入力画面である。
【図８】携帯端末の表示部に表示される圧縮後値入力画面であって、警告が重ねて表示された状態を示す。
【図９】報告書を示す説明図である。
【図１０】（ａ）〜（ｄ）は、電線接続工事（電線同士を接続する場合）の説明図である。
【図１１】（ａ）〜（ｄ）は、対象物に応じて表示されたスケールを示す説明図である。
【発明を実施するための形態】
【００１９】
以下、本発明の具体的な内容について説明する。本発明の工事記録用プログラムにより制御される携帯端末およびＡＲマーカは、種々の工事において用いることができるものであるが、ここでは、送電鉄塔上において電線を接続する工事において用いる場合を示す。
【００２０】
まず、その工事の内容について説明する。電線を新設または交換して送電鉄塔に接続する際、電線の端部にクランプ（被覆部材）を取り付ける。
【００２１】
電線には様々な種類のものがあるが、ここでは鋼心アルミより線（ＡＣＳＲ）の場合を示す。図２（ａ）に示すように、電線１は、中心部の鋼心線２と、その外周部のアルミより線３からなる。そして、この電線１の端部において、アルミより線３がはがされて、鋼心線２が突出した状態となっている。なお、鋼心線２の端部から所定長さの位置に着色して内側挿入印２１を付してある。また、アルミより線３の端部から所定長さの位置に着色して外側挿入印３１を付してあり、さらに外側挿入印３１から所定長さの位置に着色して補助印３２を付してある。
【００２２】
クランプは、内周側に位置する鋼クランプ４と、外周側に位置するアルミクランプ５の２部材からなる。図２（ａ）に示すように、鋼クランプ４は、棒状のものであって、一方の端面に挿入穴４１を形成してあり、他方の端部に送電鉄塔に設けた碍子金物と接続するための接続孔４２を形成してある。一方、アルミクランプ５は、鋼クランプ４よりも長くて太い筒状のものである。
【００２３】
そして、電線１に鋼クランプ４およびアルミクランプ５を取り付ける具体的な手順は、以下のとおりである。
１．図２（ａ）に示すように、電線１の端部をアルミクランプ５に挿入して貫通させる。
２．鋼心線２の端部を鋼クランプ４の挿入穴４１に挿入する。ただし、鋼心線２を挿入する長さは、端部から内側挿入印２１までである。この長さを、挿入長Ｔとする。また、鋼クランプ４の挿入穴４１側の端部（内側挿入印２１）からアルミより線３の端部までの長さを基準値ａとし、鋼クランプ４の全長（接続孔４２部分を除く）をｌ１とする。
３．図２（ｂ）に示すように、鋼心線２を挿入した状態の鋼クランプ４を、外周側から圧縮する。これにより、鋼心線２と鋼クランプ４を一体にする。そして、鋼クランプ４を圧縮して塑性変形させることにより、圧縮前と比較して圧縮後の全長ｌ２は長くなり、基準値ｂは短くなる。
４．図２（ｃ）に示すように、アルミクランプ５を電線１の端部側へ移動させ、アルミより線３と鋼クランプ４に跨って被せた状態とする。この際、アルミクランプ５のアルミより線３側の端部を、外側挿入印３１に合わせる。ただし、アルミクランプ５のアルミより線３側の端部（外側挿入印３１）から補助印３２までの長さを基準値ｃとし、アルミクランプ５の全長をＬ１とする。
５．図２（ｄ）に示すように、アルミより線３および鋼クランプ４を挿入した状態のアルミクランプ５を、外周側から圧縮する。これにより、アルミより線３および鋼クランプ４とアルミクランプ５を一体にする。そして、アルミクランプ５を圧縮して塑性変形させることにより、圧縮前と比較して圧縮後の全長Ｌ２は長くなり、基準値ｄは短くなる。
【００２４】
このようにして、電線１に鋼クランプ４およびアルミクランプ５を取り付けるものであり、これらの工程が確実に行われたことを確認するために、挿入長Ｔ、圧縮前後の鋼クランプ４の全長ｌ１，ｌ２および基準値ａ，ｂ、圧縮前後のアルミクランプ５の全長Ｌ１，Ｌ２および基準値ｃ，ｄの各数値は記録しておく。
【００２５】
また、この電線にクランプを取り付ける工事以外に、たとえばジャンパ線にジャンパソケットを取り付ける工事も行われるが、ここでは詳細な説明は省略する。
【００２６】
次に、本発明の工事記録用プログラムにより制御される携帯端末について説明する。この携帯端末１０は、スマートフォンまたはタブレットからなるものであり、図３のハードウェア構成図に示すように、工事の対象物を撮影する撮影部としてのカメラ１１、カメラ１１により撮影された画像やその他の画像を表示する表示部としてのディスプレイ１２、操作入力を受け付ける入力部としてのタッチパネル１３、プログラムの命令を順番に実行するＣＰＵ１４、プログラムやその他のデータなどを保存しておく記憶装置（メモリ）１５、インターネットに接続するための通信装置１６を備えている。ディスプレイ１２とタッチパネル１３とは、一体に形成されており、ディスプレイ１２に表示されるボタンが、タッチパネル１３により入力部として機能する。また、入力部として、タッチパネル１３の他に機械的なボタンなどの操作機構を有していてもよい。なお、携帯端末は、屋外で用いられる場合が多いので、防水機能を有することが望ましい。
【００２７】
次に、上記の携帯端末と組み合わせて用いられるＡＲマーカについて説明する。そもそも、ＡＲとは、「Augmented Reality＝拡張現実」の略であり、現実の風景に仮想的な画像を重ねて表示することで、現実を仮想的に拡張するものである。そして、ＡＲマーカは、後述するように、携帯端末のカメラに写し込ませて、本発明の工事記録用プログラムにより、その位置や姿勢を認識させるための図（画像）であり、仮想的な画像を表示するための基準となるものである。一般に、ＡＲシステムにおけるＡＲマーカは、図形、画像、写真など、どのようなものであってもよいが、ここでは、様々な背景の中でも認識されやすい白黒の二次元コードを用いるものとし、より具体的には、正方形の二次元コードを２つ並べて長方形状にしたものとする。また、その大きさは必ずしも限定されないが、携帯端末と略同じ大きさの樹脂板からなるもの（樹脂板の表面に、二次元コードを印刷したもの、または二次元コードを印刷したシールを貼ったもの）とすれば、携帯端末と一緒に持ち運ぶ際に都合がよく、また耐水性もあるので望ましい。
【００２８】
次に、本発明の工事記録用プログラムの具体的内容について説明する。図１に示すのは、このプログラムの処理の流れを表すフローチャートである。携帯端末にはこのプログラム（アプリ）がインストールされており、プログラムを起動することで、各処理が順次実行される。
【００２９】
まず、プログラムは、携帯端末に工事情報入力受付ステップＳ１を実行させる。工事情報入力受付ステップＳ１では、工事についての情報の入力が受け付けられる。ここで、工事についての情報とは、工事の件名、施工者、送電線の線路名、鉄塔番号、工事の対象物（クランプ、ジャンパソケットなど）などである。ただし、これらの工事についての情報は、事前に携帯端末とは別のパーソナルコンピュータにおいて、表計算ソフトなどを用いて入力されるものであり、その入力されたデータが、電子メールなどの手段を用いて携帯端末へと伝送されて入力され、記憶装置に保存されるものである。このようにすることで、携帯端末に直接入力するよりも、効率的に情報を入力できる。
【００３０】
また、工事情報入力受付ステップＳ１は、圧縮前値入力受付ステップＳ２を含むものである。圧縮前値入力受付ステップＳ２では、圧縮作業を行う前の各数値の入力が受け付けられるものであり、たとえば工事の対象物が鋼クランプであれば、挿入長Ｔ、圧縮前の鋼クランプの全長ｌ１および圧縮前の基準値ａであり、工事の対象物がアルミクランプであれば、圧縮前のアルミクランプの全長Ｌ１および圧縮前の基準値ｃである。これらは予め決まった値であるから、パーソナルコンピュータにおいて工事の対象物に併せて入力され（作業者が入力するものであってもよいし、対象物に応じて予め設定された値が自動的に入力されるものであってもよい）、携帯端末へと伝送されて入力される。
【００３１】
そして、これらの工事についての情報が入力されると、図４に示すように、携帯端末のディスプレイに工事件名選択画面１００が表示される。工事件名選択画面１００では、施工中の工事件名１０１が並んでおり、工事件名１０１部分を指やスタイラスでタッチすると、プログラムは、携帯端末に工事内容選択受付ステップＳ３を実行させて、画面が図５に示す工事内容選択画面２００に切り替わる。工事内容選択画面２００は、選択した工事の詳細が表示されるものであり、より詳しくは、工事件名２０１、線路名２０２、鉄塔番号２０３、回線（１Ｌ、２Ｌ）２０４、対象物２０５、相区分（上相、中相、下相）２０６が表示される。これらのうち、線路名２０２、鉄塔番号２０３、回線２０４および対象物２０５は、それぞれの部分をタッチすると選択肢が表示される。この選択肢は、先の工事情報入力受付ステップＳ１において入力された情報に基づくものである。これらの選択肢から、記録の対象となる工事の内容を選択できるものであり、その選択が受け付けられ、記憶装置に保存される。
【００３２】
次に、プログラムは、携帯端末にスケール選択ステップＳ４を実行させる。スケール選択ステップＳ４では、先の工事内容選択受付ステップＳ３において選択された工事の内容（延いては工事情報入力受付ステップＳ１において入力された工事についての情報）の中の対象物の情報に応じて、後に表示されるスケールの種別が選択される。すなわち、対象物の形状は予め分かっているので、対象物の形状に合わせた形状のスケールを選択するものである。なお、この時点では、選択されたスケールについての情報はディスプレイに表示されない。対象物が、上記の鋼クランプ、アルミクランプまたはジャンパソケットである場合には、直線状で１方向へ延びるスケールが選択されるが、詳細は後述する。また、別形状のスケールについても後述する。
【００３３】
次に、工事内容選択画面２００において、３つの相区分２０６のうち記録の対象となる相を選択してタッチすると、プログラムは、携帯端末に撮影ステップＳ５を実行させる。撮影ステップＳ５では、カメラが起動して、図６に示すように、ディスプレイに撮影画面３００が表示される。撮影画面３００では、カメラで撮影された撮影画像３０１が表示されるとともに（図６では、圧縮後のアルミクランプ５を写した状態を示している）、撮影画像３０１の周囲の部分に、シャッターボタン３０２、ズームイン・ズームアウトボタン３０３、明るさ調整ボタン３０４など、一般的なデジタルカメラと同様の機能を発揮するためのボタンが表示される。さらに、後述のスケール反転ステップＳ９において機能する反転ボタン３０５が、撮影画面３００の右上部に表示され、後述のスケール角度調整ステップＳ１０において機能する角度調整ボタン３０６が、撮影画像３０１の両側に２つ表示される。
【００３４】
次に、プログラムは、携帯端末にマーカ検出ステップＳ６を実行させる。マーカ検出ステップＳ６では、カメラにより撮影された画像内にＡＲマーカが存在するか否かを検出する。ＡＲマーカが存在しなければ、検出が繰り返される。
【００３５】
そして、マーカ検出ステップＳ６において画像内にＡＲマーカが存在した場合、プログラムは、携帯端末に算出ステップＳ７を実行させる。算出ステップＳ７では、二次元コードからなるＡＲマーカの位置および姿勢を算出する。具体的な算出方法は、既知の方法によるものであり、ここでは詳細な説明は省略する。
【００３６】
次に、プログラムは、携帯端末にスケール表示ステップＳ８を実行させる。スケール表示ステップＳ８では、算出ステップＳ７において算出されたＡＲマーカＭの位置および姿勢に応じて、撮影画像３０１に重ねてディスプレイにスケールＳを表示する。図６では、アルミクランプ５に隣接させたＡＲマーカＭが写し込まれており、このＡＲマーカＭの位置にスケールＳが表示されている。スケールＳは、直線状かつ帯状のものであって、長手方向にわたって等間隔に並んだ目盛と、ある目盛を原点としてそこから所定目盛数ごとに増加する数字とを付されたものである。スケールＳの原点は、ＡＲマーカＭの中心に位置しており、長方形状のＡＲマーカＭの長辺方向と、スケールＳの長手方向が一致していて、スケールＳは長手方向の１方向へ延びている（数字が増加している）。図６では、スケールＳは左側から右側へ延びている（ただし、原点の左側にも数字を付してある）。また、スケールＳには原点を指し示す矢印Ｓａが付与されており、撮影画像３０１上において原点の位置がより分かりやすくなっている。
【００３７】
なお、図１１（ａ）は、対象物であるアルミクランプ５及び電線１とスケールＳを抜き出したものであって、望ましい撮影状態を示すものである。アルミクランプ５の端部にスケールＳの原点を合わせてあり、その端部からアルミクランプ５および電線１が延びる方向に、スケールＳの延びる方向を一致させてある。
【００３８】
次に、プログラムは、携帯端末にスケール反転ステップＳ９を実行させる。スケール反転ステップＳ９では、ディスプレイに表示された反転ボタン３０５をタッチすることで、ディスプレイに表示されたスケールＳを、その延びる方向を反転して表示させる。たとえば、図６においてスケールＳは左側から右側へ延びている（数字が増加している）が、ここで反転ボタン３０５をタッチすると、原点の位置は変わらないまま、スケールＳが右側から左側へ延びる向きとなる。さらに、もう一度反転ボタン３０５をタッチすると、元の向きに戻ることになる。撮影された対象物の向きに応じて、適宜スケールＳを反転させることで、画像がより分かりやすいものとなるが、元の状態で分かりやすければ、スケール反転ステップＳ９は実行させなくてもよい。
【００３９】
なお、図１１（ｂ）は、図１１（ａ）の場合に対して、アルミクランプ５および電線１の向きが逆であり、それに合わせてスケールＳを反転させた場合を示すものである。
【００４０】
次に、プログラムは、携帯端末にスケール角度調整ステップＳ１０を実行させる。スケール角度調整ステップＳ１０では、ディスプレイに表示された角度調整ボタン３０６をタッチすることで、ディスプレイに表示されたスケールＳを、その延びる方向の水平方向に対する角度を変更して表示させる。たとえば、図６においてスケールＳは左下がりに傾斜しているが、ここで左側の角度調整ボタン３０６をタッチすると、スケールＳは反時計回りに僅かに回転して、水平方向に対する傾斜角度が大きくなる。また、右側の角度調整ボタン３０６をタッチすると、スケールＳは時計回りに僅かに回転して、水平方向に対する傾斜角度が小さくなる。撮影された対象物の傾きに応じて、適宜スケールＳの角度調整をすることで、画像がより分かりやすいものとなるが、元の状態で分かりやすければ、スケール角度調整ステップＳ１０は実行させなくてもよい。
【００４１】
次に、プログラムは、携帯端末にスケール移動ステップＳ１１を実行させる。スケール移動ステップＳ１１では、ディスプレイに表示されたスケールＳにタッチしてそのままドラッグする（スライドさせる）ことで、ディスプレイ上においてスケールＳを任意の位置に移動させる。そして、その操作入力を終了させる、すなわちタッチしていた指やスタイラスを離すと、プログラムは、携帯端末にスケール固定ステップＳ１２を実行させる。スケール固定ステップＳ１２では、スケール移動ステップＳ１１でディスプレイ上において移動されたスケールＳのＡＲマーカＭに対する相対位置を固定する。よって、その後に携帯端末を動かして、ディスプレイ上におけるＡＲマーカＭの位置が移動すると、スケールＳはＡＲマーカＭに対する相対位置が変わらないまま移動する。なお、もう一度スケールＳにタッチすれば、再びプログラムは携帯端末にスケール移動ステップＳ１１を実行させることになり、スケールＳを移動させることができる。撮影された対象物の位置に応じて、適宜スケールＳを移動させることで、画像がより分かりやすいものとなるが、元の状態で分かりやすければ、スケール移動ステップＳ１１およびスケール固定ステップＳ１２は実行させなくてもよい。
【００４２】
そして、ディスプレイに表示されたシャッターボタン３０２をタッチすると、プログラムは、携帯端末に画像保存ステップＳ１３を実行させる。画像保存ステップＳ１３では、シャッターボタン３０２をタッチしたときにディスプレイに表示されていた撮影画像３０１（スケールＳが重ねて表示されたもの）を、記憶装置に保存する。なお、保存される画像データのファイル名や保存フォルダ名は、鉄塔番号、電線の相や工事の対象物に基づいて自動的に生成される。
【００４３】
次に、プログラムは、携帯端末に圧縮後値入力受付ステップＳ１４を実行させる。圧縮後値入力受付ステップＳ１４では、圧縮作業を行った後の各数値の入力が受け付けられるものであり、たとえば工事の対象物が鋼クランプであれば、圧縮後の鋼クランプの全長ｌ２および圧縮後の基準値ｂであり、工事の対象物がアルミクランプであれば、圧縮後のアルミクランプの全長Ｌ２および圧縮後の基準値ｄである。これらは圧縮作業後に折尺などを用いて実測されるものである。圧縮後値入力受付ステップＳ１４が実行されると、図７に示すように、カメラが停止され、画面が撮影画面３００から圧縮後値入力画面４００に切り替わる。圧縮後値入力画面４００には、鉄塔番号、回線、相区分などの工事情報４０１、対象物（クランプ、ジャンパソケットなど）４０２が表示される。図７に示すのは、対象物４０２がアルミクランプの場合であり、さらに、先の圧縮前値入力受付ステップＳ２において入力された、圧縮前のアルミクランプの全長Ｌ１および圧縮前の基準値ｃが表示される。そして、それらの圧縮前値に並んで、圧縮後のアルミクランプの全長Ｌ２および圧縮後の基準値ｄの入力欄４０３が表示される。この入力欄４０３にタッチして、実測された値を直接入力するものである。さらに、圧縮後値入力画面４００には、登録ボタン４０４と戻るボタン４０５が表示されている。戻るボタン４０５をタッチすると、画面が圧縮後値入力画面４００から撮影画面３００に切り替わる。
【００４４】
そして、入力欄４０３に値を入力後に、登録ボタン４０４をタッチすると、プログラムは、携帯端末に比較ステップＳ１５を実行させる。比較ステップＳ１５では、被覆部材（鋼クランプ、アルミクランプ、ジャンパソケットなど）の長さの圧縮前の値と圧縮後の値および基準値の圧縮前の値と圧縮後の値をそれぞれ比較する。そして、被覆部材の長さの圧縮後の値が圧縮前の値より大きくかつ基準値の圧縮後の値が圧縮前の値より小さい場合に、正常（ＯＫ）と判断し、被覆部材の長さの圧縮後の値が圧縮前の値より小さい場合および／または基準値の圧縮後の値が圧縮前の値より大きい場合に、異常（ＮＧ）と判断する。すなわち、鋼クランプの場合、ｌ１＞ｌ２（圧縮前後の全長）および／またはａ＜ｂ（圧縮前後の基準値）であればＮＧとなる。また、アルミクランプの場合、Ｌ１＞Ｌ２（圧縮前後の全長）および／またはｃ＜ｄ（圧縮前後の基準値）であればＮＧとなる。判断結果がＯＫであれば、それらの入力値がそのまま受け付けられ、記憶装置に保存される。
【００４５】
そして、比較ステップＳ１５において判断結果がＮＧであれば、プログラムは、携帯端末に警告表示ステップＳ１６を実行させる。警告表示ステップＳ１６では、図８に示すように、圧縮後値入力画面４００に重ねて、入力された圧縮後値の値が異常であることを知らせる警告４０６が表示される。警告内容は、「全長が小さくなった」または「基準値が大きくなった」の何れかである。そして、警告４０６とともに、入力値が正しいか否かを問う返答ボタン４０７が表示される。返答ボタン４０７は「はい」と「いいえ」からなり、入力値が間違っていた場合、「いいえ」をタッチすれば、警告４０６および返答ボタン４０７は消え、再度圧縮後値入力画面４００において圧縮後値を入力できるようになる。一方、何らかの事情により、異常と判断されるものであっても入力値が正しい場合、「はい」をタッチすれば、それらの入力値がそのまま受け付けられ、記憶装置に保存される。
【００４６】
次に、プログラムは、携帯端末にバックアップステップＳ１７を実行させる。バックアップステップＳ１７では、通信装置によりインターネットに接続し、撮影画像のデータおよび入力された各数値のデータを、インターネット上のクラウドサーバに保存する。ただし、携帯端末がインターネットに接続できない状態である場合（電波が届かない場所にある場合など）、接続できる状態になった時点で、自動的にバックアップステップＳ１７が実行される。
【００４７】
以上で、１件の工事について、記録のために必要な画像の撮影および数値の入力が完了し、プログラムの一連の処理が終了する。他の工事が残っている場合には、図５に示す工事内容選択画面２００または図４に示す工事件名選択画面１００を表示させて、適宜工事内容または工事件名を選択して、上記と同様に撮影および数値の入力を繰り返す。
【００４８】
なお、クラウドサーバに保存されたデータには、携帯端末とは別のパーソナルコンピュータからもアクセスできる。そして、パーソナルコンピュータによりデータが取り込まれて、図９に示すような様式の報告書５００が表計算ソフトなどを用いて自動的に作成される。報告書５００は、左側に工事の対象物の撮影画像５０１を表示し、右側に対応する工事情報５０２（工事件名、施工者、対象物、線路名、回線、相区分、圧縮前の各数値、圧縮後の各数値など）を表示したものである。そして、図９の報告書は、上記のクランプの取付工事のものであり、上段の画像は圧縮前の鋼クランプを写したもの、中段の画像は圧縮後の鋼クランプを写したもの、下段の画像は圧縮後のアルミクランプを写したものとなっている。
【００４９】
次に、上記の工事記録用プログラムにより制御される携帯端末およびＡＲマーカを用いた、被覆部材（クランプ、ジャンパソケットなど）に電線を挿入して外周側から圧縮する工事の記録方法について、その工程を説明する。
（１）工事情報入力工程（圧縮前値入力工程を含む）
事務所などにおいて、パーソナルコンピュータから、工事についての情報（工事の件名、施工者、送電線の線路名、鉄塔番号、工事の対象物など）を入力する。また、被覆部材の長さの圧縮前の値および被覆部材の端部と電線の所定の基準位置との間の長さである基準値の圧縮前の値も併せて入力する。入力されたデータは、電子メールによって携帯端末へと伝送されて入力される。
（２）撮影工程
現場において、被覆部材の圧縮作業の前後に、携帯端末のカメラにより、被覆部材を撮影する。この際、１人の作業者が携帯端末を持ち、もう１人の作業者がＡＲマーカを持って被覆部材に合わせた位置に保持する。カメラによりＡＲマーカを写し込ませることで、携帯端末のディスプレイにはスケールが表示されるので、スケールが図１１（ａ）に示すような位置および姿勢となるように、ＡＲマーカの位置を調整する。また、足場が悪いなどの理由により、ＡＲマーカを適切な位置に保持できない場合には、携帯端末のディスプレイ上において、スケールを反転、移動または角度調整する。
（３）実測工程
折尺などを用いて、被覆部材の長さの圧縮後の値および基準値の圧縮後の値を実測する。
（４）圧縮後値入力工程
携帯端末に、実測した被覆部材の長さの圧縮後の値および基準値の圧縮後の値を入力する。入力値のデータおよび撮影工程において撮影された画像のデータは、自動的にインターネット上のクラウドサーバに保存される。
（５）報告書作成工程
事務所などにおいて、パーソナルコンピュータでクラウドサーバに保存されたデータを取り込み、自動的に報告書が作成されるので、これを出力する。
【００５０】
このような工事記録用プログラムにより制御される携帯端末を用いれば、従来黒板に記載していた工事についての情報は、携帯端末に入力されるので、黒板は不要である。また、スケールは、ＡＲマーカに応じて携帯端末のディスプレイに表示されるので、実物のスケールも不要である。よって、黒板やスケールの設置をする必要がなく、手間や時間がかからず容易に撮影を行うことができる。また、工事についての情報は携帯端末に入力されるので、後から情報を転記する必要がなく、手間や時間がかからず、誤記のおそれもない。そして、工事記録のために必要なものは、携帯端末とＡＲマーカのみとなるので、運搬したり撮影時に保持したりすることも容易である。また、撮影された対象物に応じて、容易にスケールの延びる方向の切り替えや角度調整をすることができる。よって、送電鉄塔上のような足場が悪い場所において対象物の撮影方向が制限される場合であっても、撮影された対象物の向きに応じてスケールの延びる方向を切り替えたり角度調整をしたりすれば、記録写真（画像）がより分かりやすいものとなる。さらに、基本的にスケールはＡＲマーカの位置に表示されるものであるが、送電鉄塔上のような足場が悪い場所においてはスケールを表示させたい最適な場所にＡＲマーカを保持できない場合もある。そのような場合でも、ディスプレイ上において容易にスケールの位置を調整できる。そして、スケールを移動させた後は、ＡＲマーカに対する相対位置が固定されるので、さらに携帯端末の向きや位置を変えて撮影のアングルなどを調整できる。
【００５１】
そして、この携帯端末とＡＲマーカを用いることで、送電鉄塔上で行われる電線工事において、従来用いられていた黒板やスケールを要することなく、携帯端末とＡＲマーカによって容易かつ安全に記録作業を行うことができる。すなわち、携帯端末はスマートフォンやタブレットからなり、ＡＲマーカもそれと略同じ大きさであるから、従来の黒板とスケールに比べて小さいもので済むので、足場の悪い送電鉄塔上においても、持ち運びが容易で安全である。そして、ＡＲマーカを対象物の位置に合わせて保持して、携帯端末によりそのＡＲマーカを写し込んで対象物を撮影すればよいので、従来のように大きな黒板やスケールを保持する必要がなく、撮影作業も容易で安全である。
【００５２】
さらに、この携帯端末とＡＲマーカを用いることで、被覆部材（クランプ、ジャンパソケットなど）に電線を挿入して外周側から圧縮する工事において、従来用いられていた黒板やスケールを要することなく、容易かつ安全に記録作業を行うことができる。そして、被覆部材は、圧縮することで長くなるものであり、基準値は被覆部材が長くなることにより逆に短くなるものであるから、圧縮前後の被覆部材の長さおよび圧縮前後の基準値を記録することで、圧縮が確実に行われたことが確認できる。このように、スケールが表示された被覆部材の画像と、圧縮前後の各数値を併せて記録しておくことで、記録の信頼性が高いものとなる。
【００５３】
なお、上記の説明は、電線を送電鉄塔に接続する工事を対象としたものであるが、それ以外に、電線同士を接続する工事も対象となる。電線には様々な種類のものがあるが、ここでは先の場合と同様に鋼心アルミより線（ＡＣＳＲ）の場合を示す。図１０（ａ）に示すように、電線１は、中心部の鋼心線２と、その外周部のアルミより線３からなる。そして、これらの各電線１の端部において、アルミより線３がはがされて、鋼心線２が突出した状態となっている。なお、各電線１の鋼心線２の端部から所定長さの位置に着色して内側挿入印２１を付してある。また、各電線１のアルミより線３の端部から所定長さの位置に着色して外側挿入印３１を付してあり、さらに外側挿入印３１から所定長さの位置に着色して補助印３２を付してある。
【００５４】
そして、この電線１同士を、スリーブによって接続する。スリーブは、内周側に位置する内側スリーブ６と、外周側に位置する外側スリーブ７の２部材からなる。図１０（ａ）に示すように、内側スリーブ６は、筒状のものであって、鋼心線２を挿入可能でかつアルミより線３より細いものである。一方、外側スリーブ７は、内側スリーブ６よりも長くて太い筒状のものであり、アルミより線３を挿入可能なものである。
【００５５】
そして、内側スリーブ６および外側スリーブ７により電線１同士を接続する具体的な手順は、以下のとおりである。
１．図１０（ａ）に示すように、一方の電線１の端部を外側スリーブ７に挿入して貫通させる。
２．両電線１の鋼心線２の端部を内側スリーブ６のそれぞれの端部から挿入する。ただし、鋼心線２を挿入する長さは、鋼心線２の端部から内側挿入印２１までである。この長さを、挿入長Ｔとする。また、内側スリーブ６の端部（内側挿入印２１）から各電線１のアルミより線３の端部までの長さをａ１，ａ２として、その和を基準値ａとし、内側スリーブ６の全長をｌ１とする。
３．図１０（ｂ）に示すように、鋼心線２を挿入した状態の内側スリーブ６を、外周側から圧縮する。これにより、鋼心線２と内側スリーブ６を一体にする。そして、内側スリーブ６を圧縮して塑性変形させることにより、圧縮前と比較して圧縮後の全長ｌ２は長くなり、基準値ｂ（圧縮後の内側スリーブ６の端部から各電線１のアルミより線３の端部までの長さをｂ１，ｂ２として、その和）は短くなる。
４．図１０（ｃ）に示すように、外側スリーブ７を電線１の接続部へ移動させ、両電線１のアルミより線３に跨って被せた状態とする。この際、外側スリーブ７の両端部が、外側挿入印３１に一致する。ただし、外側スリーブ７の両端部（各電線１の外側挿入印３１）から補助印３２までの長さをｃ１，ｃ２として、その和を基準値ｃとし、外側スリーブ７の全長（両電線１の外側挿入印３１の間隔）をＬ１とする。
５．図１０（ｄ）に示すように、アルミより線３を挿入した状態の外側スリーブ７を、外周側から圧縮する。これにより、アルミより線３と外側スリーブ７を一体にする。そして、外側スリーブ７を圧縮して塑性変形させることにより、圧縮前と比較して圧縮後の全長Ｌ２は長くなり、基準値ｄ（圧縮後の外側スリーブ７の端部から各電線１の補助印３２までの長さをｄ１，ｄ２として、その和）は短くなる。
【００５６】
このようにして、電線１同士を内側スリーブ６および外側スリーブ７により接続するものであり、これらの工程が確実に行われたことを確認するために、挿入長Ｔ、圧縮前後の内側スリーブ６の全長ｌ１，ｌ２および基準値ａ，ｂ、圧縮前後の外側スリーブ７の全長Ｌ１，Ｌ２および基準値ｃ，ｄの各数値は記録しておく。
【００５７】
そして、このように内側スリーブ６および外側スリーブ７によって電線１同士を接続する場合、記録のための撮影画像には、図１１（ｃ）に示すように、直線状で中央に原点があり、そこから両方向へ向けて延びる（両方向へ数字が増加する）スケールＳを表示する方が、より分かりやすい。よって、上記のプログラムが携帯端末に実行させるスケール選択ステップＳ４において、対象物がこのようなスリーブである場合には、先の場合の１方向へ延びるスケールに替えて、両方向へ延びるスケールが選択される。
【００５８】
なお、場合によっては、対象物がこのようなスリーブであっても、図１１（ｄ）に示すように、１方向へ延びるスケールＳを表示した方が分かりやすいこともあり得る。よって、上記のように、対象物に応じて予めスケールが選択されるのではなく、１方向へ延びるスケールと両方向へ延びるスケールを作業者が任意に選択できるようにしてもよい。この場合、上記と同様に、工事内容選択受付ステップＳ３の実行後にスケール選択ステップＳ４が実行されるものであって、工事内容選択画面において、１方向へ延びるスケールと両方向へ延びるスケールとが選択肢として表示され、作業者が何れかを選択するものであってもよいし、スケール表示ステップＳ８の実行後にスケール選択ステップＳ４が実行されるものであって、撮影画面に切替ボタンが表示され、作業者が切替ボタンを押すごとに撮影画像に重ねて表示されたスケールが１方向へ延びるものと両方向へ延びるものとに切り替わるものであってもよい。そして、ここでは１方向へ延びるスケールと両方向へ延びるスケールの２つが選択肢となっているが、これは、その２つが想定される全ての種別のスケールであって、対象物によらず常にその２つのスケールが選択肢となるものであってもよいし、その２つ以外にも想定される別の種別のスケールがあり、それらの中から、対象物に応じてその２つのスケールが選択肢となるものであってもよい。
【００５９】
このように、工事の種別、すなわち対象物の形状などに応じて表示するスケールの種別が選択されるので、記録写真（画像）がより分かりやすいものとなる。スケールが実物であれば、何種類ものスケールを用意しなければならず、その取り扱いに手間がかかるが、本発明のスケールは仮想的に表示されるものであるから、そのような手間もかからない。
【００６０】
本発明は、上記の実施形態に限定されない。たとえば、工事記録用プログラムは、図１のフローチャートで示したものに対して、処理の順序が異なるもの、一部の処理を除外したもの、または他の処理を付加したものであってもよい。また、工事情報入力受付ステップは、情報が携帯端末に直接入力されるものであってもよい。さらに、スケールの形状は、工事の対象物に応じて適宜変更できるものであり、直線状のもの以外に、湾曲したものや屈曲したものであってもよい。また、工事記録用プログラムが、携帯端末に報告書作成ステップを実行させて、報告書が作成されるものであってもよい。さらに、この工事記録用プログラムを、電線工事以外の工事の記録のために用いてもよい。
【符号の説明】
【００６１】
Ｓ１  工事情報入力受付ステップ
Ｓ４  スケール選択ステップ
Ｓ５  撮影ステップ
Ｓ６  マーカ検出ステップ
Ｓ７  算出ステップ
Ｓ８  スケール表示ステップ
Ｓ９  スケール反転ステップ
Ｓ１１  スケール移動ステップ
Ｓ１２  スケール固定ステップ
【図１】
2020021403.tif 000003
【図２】
2020021403.tif 000004
【図３】
2020021403.tif 000005
【図４】
2020021403.tif 000006
【図５】
2020021403.tif 000007
【図６】
2020021403.tif 000008
【図７】
2020021403.tif 000009
【図８】
2020021403.tif 000010
【図９】
2020021403.tif 000011
【図１０】
2020021403.tif 000012
【図１１】
2020021403.tif 000013